(57)【要約】【課題】フィット性が向上し、体液が肌を伝って流れ難く、防漏性が向上する吸収性物品を提供すること。【解決手段】吸収性物品１は、吸収体４が中間部Ｍに中高部４３を有する。吸収体４は、中高部４３よりも後方側に、縦方向Ｘに延びる後方スリットＲ１が配された後方スリット領域ＲＳを有する。後方スリット領域ＲＳは、縦方向Ｘに延びる後方スリットＲ１を有する。後方スリット領域ＲＳは、縦中心線ＣＬを挟んで両側に一対配されている。後方スリットＲ１の内、最も中高部４３に近い位置に配され、かつ最も横方向Ｙ内方に位置する一対の近接スリットＲ１ａ，Ｒ１ａどうしの横方向Ｙの間隔ｄ１は、中高部４３における縦方向Ｘの後端部４３Ｂの横方向Ｙの幅ｂ３と同じか或いは該幅ｂ３よりも広い。【選択図】図１
2018050951.tif 000002
【特許請求の範囲】
【請求項１】
着用者の前後方向に対応する縦方向と該縦方向に直交する横方向を備え、吸収体を有し、該縦方向に沿って前方部、中間部及び後方部を有する吸収性物品であって、
前記吸収体は、前記中間部の肌対向面側に、他の部分よりも厚みの厚い中高部を有しており、
前記吸収体は、前記中高部よりも後方側に、前記縦方向に延びる後方スリットが配置された後方スリット領域を有し、該後方スリット領域は、前記吸収体を横方向に二分して縦方向に延びる仮想縦中心線を挟んで両側に一対配されており、
一対の前記後方スリット領域を構成する前記後方スリットの内、最も前記中高部に近い位置に配され、かつ最も横方向の内方に位置する近接スリットどうしの横方向の間隔は、該中高部における縦方向の後端部の横方向の幅と同じか或いは該幅よりも広い、吸収性物品。
【請求項２】
前記近接スリットの横方向の間隔は、前記中高部を縦方向に５分割した際の最も後側の最後端分割域における横方向の最大長さと同じかそれより広い、請求項１に記載の吸収性物品。
【請求項３】
前記吸収体は、前記中高部に、縦方向に延びる中央スリットが縦方向及び横方向に分散して配された中央スリット領域を有している、請求項１又は２に記載の吸収性物品。
【請求項４】
前記中央スリット領域を構成する前記中央スリットの内、最も後方側に位置する中央最後部スリットの後端と、各前記後方スリット領域の前記近接スリットの前端とは、前記吸収性物品を横方向から視て、重なっていない、請求項３に記載の吸収性物品。
【請求項５】
前記一対の後方スリット領域それぞれの横方向の最も内側に位置した、横方向に隣り合う後方スリット間の横方向の距離が、横方向に隣り合った前記中央スリット間の横方向の距離よりも長い、請求項３又は４に記載の吸収性物品。
【請求項６】
前記一対の後方スリット領域それぞれの、横方向の最も内側に位置する前記後方スリットは、前記中高部における縦方向の後端部の横方向の幅を５等分した際の中央１領域より横方向の外側に位置する、請求項１〜５の何れか１項に記載の吸収性物品。
【請求項７】
前記吸収性物品は、前記吸収体を挟持する表面シート及び裏面シートを具備し、肌対向面に、前記表面シート及び前記吸収体が一体となった、前記裏面シート側に底部を有する溝を備え、
前記吸収性物品を平面視して、各前記後方スリット領域を構成する前記後方スリットが、前記溝と重なる部分を有している、請求項１〜６の何れか１項に記載の吸収性物品。
【請求項８】
前記吸収性物品は、前記吸収体と、該吸収体を挟持する表面シート及び裏面シートを具備する吸収性本体を有し、該吸収性本体における前記中間部よりも後方に、該吸収性本体の縦方向に沿う両側部それぞれから横方向の外方に延出する一対の後方フラップ部を有しており、
各前記後方フラップ部は、その非肌対向面に縦方向に延びるズレ止め部材を有し、
前記吸収性物品を平面視して、各前記後方スリット領域を構成する前記後方スリットは、前記ズレ止め部材の縦方向の後端部よりも後方に配されていない、請求項１〜７の何れか１項に記載の吸収性物品。
【発明の詳細な説明】
【技術分野】
【０００１】
本発明は、吸収性物品に関する。
【背景技術】
【０００２】
本出願人は、先に、吸収体の排泄部対向部における中央部に、縦スリットが分散して形成された中央スリット領域と、吸収体の後方部に、横方向に延びる後方スリットが縦方向に間欠的に配されて形成された後方スリット領域とを有する吸収性物品を提案した（特許文献１）。特許文献１に記載の吸収性物品によれば、深い折れ皺やヨレが発生し難く、フィット性が向上し、着用感が向上する。
【０００３】
これとは別の技術として、特許文献２には、吸収性物品の使用中に、着用者の尻の間の割れ目中に延ばして吸収性物品を安定させる観点から、吸収体の後部分において、物品の縦方向の中央線に沿って延びる細長い貫通穴を配置した吸収性物品が開示されている。
【先行技術文献】
【特許文献】
【０００４】
【特許文献１】特開２０１５−２３９９９号公報
【特許文献２】特表２００５-５１２６８０号公報
【発明の概要】
【発明が解決しようとする課題】
【０００５】
本発明者らは、就寝時に身体を仰向けにした姿勢をとると、一般的な夜用の生理用ナプキンでは、着用者の液排泄部に対向配置される排泄部対向部よりも後方に隙間が生じ易く、一度に多量に経血が排泄された場合等に経血が肌を伝って流れ易く、漏れの原因になることを見出した。このような漏れに対し、特許文献１に記載の吸収性物品を着用すれば、後方スリット領域によりフィット性が向上するので、一定の効果はあるものの、中央スリット領域に配された吸収体の中高部分と、該中高部から後方スリット領域を構成する後方スリットまでの間の部分との剛性差によって、吸収性物品と肌との間に隙間が生じてしまう場合があり、特許文献１に記載の吸収性物品には、改善の余地があった。
【０００６】
また、特許文献２に記載の吸収性物品を着用すれば、着用時に吸収体の後方領域が着用者の肌に向かって貫通穴を起点に屈曲した形状に変形するので、着用者に違和感を与えてしまう。
【０００７】
したがって本発明の課題は、前述した従来技術が有する欠点を解消し得る吸収性物品を提供することにある。
【課題を解決するための手段】
【０００８】
本発明は、着用者の前後方向に対応する縦方向と該縦方向に直交する横方向を備え、吸収体を有し、該縦方向に沿って前方部、中間部及び後方部を有する吸収性物品であって、前記吸収体は、前記中間部の肌対向面側に、他の部分よりも厚みの厚い中高部を有しており、前記吸収体は、前記中高部よりも後方側に、前記縦方向に延びる後方スリットが配置された後方スリット領域を有し、該後方スリット領域は、前記吸収体を前記横方向に二分して前記縦方向に延びる仮想縦中心線を挟んで両側に一対配されており、一対の前記後方スリット領域を構成する前記後方スリットの内、最も前記中高部に近い位置に配され、かつ最も横方向の内方に位置する近接スリットどうしの横方向の間隔は、該中高部における縦方向の後端部の横方向の幅と同じか或いは該幅よりも広い、吸収性物品を提供するものである。
【発明の効果】
【０００９】
本発明の吸収性物品によれば、フィット性が向上し、体液が肌を伝って流れ難く、防漏性が向上する。
【図面の簡単な説明】
【００１０】
【図１】図１は、本発明の吸収性物品の好ましい一実施形態である生理用ナプキンを肌対向面側から視た平面図である。
【図２】図２は、図１のＩＩ−ＩＩ線断面を模式的に示す断面図である。
【図３】図３は、図１のＩＩＩ−ＩＩＩ線断面を模式的に示す断面図である。
【図４】図４は、図１に示す生理用ナプキンの備える吸収体を肌対向面側から視た平面図である。
【図５】図５は、本発明の吸収性物品の備える別の実施形態の吸収体を肌対向面側から視た平面図である。
【発明を実施するための形態】
【００１１】
以下、本発明の吸収性物品を、その好ましい一実施形態である生理用ナプキン１（以下、「ナプキン１」とも言う。）に基づき図面を参照して説明する。ナプキン１は、着用者の前後方向に対応する縦方向Ｘと縦方向Ｘに直交する横方向Ｙを備え、吸収体４を有し、該縦方向Ｘに沿って前方部Ｆ、中間部Ｍ及び後方部Ｒを有している。図１〜図３に示すナプキン１は、就寝時の使用に適した夜用のナプキンである。図１には、ナプキン１を肌対向面側から見た平面図が示されており、図２及び図３には、ナプキン１の断面図が示されている。また、図４には、ナプキン１の備える吸収体４を肌対向面側から見た平面図が示されている。
【００１２】
本実施形態では、ナプキン１は、図１〜図３に示すように、吸収体４と、吸収体４を挟持する表面シート２及び裏面シート３とを具備する吸収性本体１０を有している。言い換えれば、吸収性本体１０は、肌対向面を形成する液透過性の表面シート２、非肌対向面を形成する裏面シート３、及びこれら両シート２，３間に介在された吸収体４を具備する。本実施形態では、ナプキン１の吸収体４は、吸収性シートから形成されており、具体的には、図２及び図３に示すように、吸収性シートが複数層厚み方向に重なった構造となっている。ナプキン１では、吸収性シートから形成された吸収体４は、高吸収性ポリマー及び構成繊維を含有している。
【００１３】
ナプキン１の吸収性本体１０は、図１に示すように、着用時に着用者の排泄部である膣口に対向配置される排泄部対向部を含む中間部Ｍと、該中間部Ｍよりも着用者の前側寄りに配される前方部Ｆと、該中間部Ｍよりも着用者の後側寄りに配される後方部Ｒとを有しており、前後方向に長い形状となっている。ナプキン１及び吸収性本体１０は、着用者の前後方向に対応する縦方向Ｘと、該縦方向Ｘに直交する横方向Ｙと、厚み方向Ｚとを有する。即ち、吸収性本体１０は、前後方向である縦方向Ｘに沿って、前方部Ｆ、中間部Ｍ及び後方部Ｒを有し、該順番で区分される。
また、ナプキン１は、ナプキン１の横方向Ｙ中心を通る縦方向Ｘに延びる仮想二等分線である縦中心線ＣＬに対して左右対称形となっている。
【００１４】
また、本明細書において、肌対向面は、ナプキン１又はその構成部材（例えば表面シート２）における、ナプキン１の着用時に着用者の肌側に向けられる面であり、非肌対向面は、ナプキン１又はその構成部材における、ナプキン１の着用時に肌側とは反対側（着衣側）に向けられる面である。また、縦方向Ｘは、ナプキン１及び吸収性本体１０の長手方向に一致し、横方向Ｙは、ナプキン１及び吸収性本体１０の幅方向（長手方向に直交する方向）に一致する。
【００１５】
本実施形態では、ナプキン１は、図１及び図３に示すように、吸収性本体１０に加えて、吸収性本体１０における中間部Ｍよりも後方である後方部Ｒに、吸収性本体１０の縦方向Ｘに沿う両側部それぞれから横方向Ｙの外方に延出する一対の後方フラップ部１０Ｈ，１０Ｈを有している。また、ナプキン１では、図１及び図２に示すように、吸収性本体１０における中間部Ｍの縦方向Ｘに沿う両側部それぞれから横方向Ｙの外方に延出する一対のウイング部１０Ｗ，１０Ｗを有している。
【００１６】
尚、本発明の吸収性物品において、中間部Ｍとは、本実施形態のナプキン１のようにウイング部１０Ｗを有する場合には、縦方向Ｘにおいてウイング部１０Ｗを有する領域（一方のウイング部１０Ｗの縦方向Ｘに沿う付け根と他方のウイング部１０Ｗの縦方向Ｘに沿う付け根とに挟まれた領域）を意味する。また、ウイング部を有しない吸収性物品の場合には、吸収性物品が個装形態に折り畳まれた際に生じる、該吸収性物品を横方向Ｙに横断する折曲線（図示せず）について、該吸収性物品の縦方向Ｘの前端から数えて第１折曲線と第２折曲線とに囲まれた領域を意味する。
【００１７】
本実施形態のナプキン１では、表面シート２は、図１〜図３に示すように、吸収体４の肌対向面の全域を被覆している。一方、裏面シート３は、吸収体４の非肌対向面の全域を被覆し、更に表面シート２の縦方向Ｘに沿う両側縁から横方向Ｙの外方に延出して、後述する防漏カフ形成用シート５と共にサイドフラップ部１０Ｓを形成している。表面シート２の肌対向面に固定された防漏カフ形成用シート５と裏面シート３とは、吸収体４の縦方向Ｘの両端縁からの延出部分において、接着剤、ヒートシール、超音波シール等の公知の接合手段によって互いに接合されている。尚、表面シート２及び裏面シート３それぞれと吸収体４との間は接着剤によって接合されていてもよい。
【００１８】
ナプキン１では、防漏カフ形成用シート５は、図１〜図３に示すように、吸収性本体１０の肌対向面に配された表面シート２の肌対向面における縦方向Ｘに沿う両側部に配され固定されている。好適には、防漏カフ形成用シート５は、平面視において吸収体４の縦方向Ｘに沿う左右両側部に重なるように、吸収性本体１０の縦方向Ｘの全長に亘って配され固定されている。防漏カフ形成用シート５は、例えば、自由端部側を折り返し、折り返して形成された折り返し部分の内部に防漏カフ形成用弾性部材を配してもよい。このように防漏カフ形成用弾性部材を配すると、防漏カフ形成用弾性部材の収縮力により、折り返し部分が着用者の肌側に向かって起立する、防漏カフが形成されるようになる。このように防漏カフが形成されると、肌対向面に排泄された経血の横漏れを防止することができる。
【００１９】
ナプキン１では、サイドフラップ部１０Ｓは、図１に示すように、中間部Ｍにおいて横方向Ｙの外方に向かって大きく張り出しており、これにより吸収性本体１０の縦方向Ｘに沿う左右両側に、一対のウイング部１０Ｗ，１０Ｗが延設されている。また、サイドフラップ部１０Ｓは、図１に示すように、後方部Ｒにおいて横方向Ｙの外方に向かって大きく張り出しており、これにより吸収性本体１０の縦方向Ｘに沿う左右両側に、一対の後方フラップ部１０Ｈ，１０Ｈが延設されている。
【００２０】
ウイング部１０Ｗは、ショーツ等の着衣のクロッチ部の非肌対向面側に折り返されて用いられるものである。ナプキン１では、ウイング部１０Ｗは、図１に示すように、平面視において、下底（上底よりも長い辺）が、吸収性本体１０の縦方向Ｘに沿う側部側に位置する略台形形状を有している。ウイング部１０Ｗの非肌対向面には、該ウイング部１０Ｗ（ナプキン１）をショーツ等の着衣（図示せず）に固定するズレ止め部材であるウイング部粘着部１０Ｗ１が配されており、このウイング部粘着部１０Ｗ１によって、使用時に、着衣のクロッチ部の非肌対向面（外面）側に折り返されたウイング部１０Ｗを、該クロッチ部に粘着固定できるようになされている。ウイング部粘着部１０Ｗ１は、縦方向Ｘに延びるように配されている。ナプキン１では、ウイング部粘着部１０Ｗ１の形状は、縦方向Ｘに長い矩形状であり、縦中心線ＣＬに平行に延びている。また、吸収性本体１０の非肌対向面にも、吸収性本体１０を、ショーツ等の着衣に固定するための本体粘着部（図示せず）が形成されている。
【００２１】
後方フラップ部１０Ｈは、着用時にショーツ等の着衣の肌対向面側に配されるものである。後方フラップ部１０Ｈの非肌対向面には、該後方フラップ部１０Ｈをショーツ等の着衣（図示せず）に固定するズレ止め部材である後方フラップ部粘着部１０Ｈ１が配されており、この後方フラップ部粘着部１０Ｈ１によって、使用時に、着衣の肌対向面（内面）上に後方フラップ部１０Ｈが粘着固定できるようになされている。後方フラップ部粘着部１０Ｈ１は、縦方向Ｘに延びるように配されている。ナプキン１では、後方フラップ部粘着部１０Ｈ１の形状は、縦方向Ｘに長い矩形状であり、縦中心線ＣＬに平行に延びている。
【００２２】
ナプキン１は、図１〜図３に示すように、吸収体４を挟持する表面シート２及び裏面シート３を具備し、肌対向面に、表面シート２及び吸収体４が一体となった、裏面シート３側に底部を有する溝９を備えている。具体的には、吸収性本体１０の肌対向面（表面シート２の肌対向面）に、表面シート２及び吸収体４が裏面シート３側に向かって一体的に凹陥されてなる線状の溝９を備えている。したがって、溝９は、表面シート２及び吸収体４に関して、構成部材である各々の繊維の密度が、溝の周囲部の密度よりも高い溝となっている。線状の溝９における「線状」とは、溝（凹陥部）の形状が平面視において直線に限られず、曲線を含んでいることを意味する。尚、各線は、連続線でも破線等のような不連続線でもよい。例えば、溝９は、不連続な多数の点エンボスのなす列から構成されていてもよい。
【００２３】
ナプキン１では、図１に示すように平面視して、溝９は、前方部Ｆ及び後方部Ｒに、それぞれ横方向Ｙに延びる第１横圧搾溝９１と、ナプキン１の縦方向Ｘの両側部に、前方部Ｆ、中間部Ｍ及び後方部Ｒに亘って縦方向Ｘに延びる縦圧搾溝９２とを有している。ナプキン１では、前方部Ｆ及び後方部Ｒの第１横圧搾溝９１は、縦方向Ｘ外方に向けて凸の曲線状を形成しながら横方向Ｙに延びている。ナプキン１では、前方部Ｆの第１横圧搾溝９１、一方の縦圧搾溝９２、後方部Ｒの第１横圧搾溝９１、及び他方の縦圧搾溝９２が繋がってリング状の全周溝を形成している。また、ナプキン１では、溝９は、前方部Ｆの第１横圧搾溝９１よりも縦方向Ｘ内方に、横方向Ｙに延びる第２横圧搾溝９３を有している。また、また、ナプキン１では、溝９は、後方部Ｒであって、該後方部Ｒにおける一対の縦圧搾溝９２，９２及び第１横圧搾溝９１で囲まれた領域内に、縦方向Ｘ外方に向けて凸の曲線状を形成しながら延びている第３圧搾溝９４を有している。尚、ナプキン１では、第２横圧搾溝９３及び第３圧搾溝９４は、いずれも、図１に示すように、一対の縦圧搾溝９２，９２と繋がっていないが、繋がっていてもよい。このように形成された溝９は、表面シート２上を平面方向に流れる体液の拡散を抑制して、ナプキン１の周囲から液漏れを効果的に防止することができる。
【００２４】
本発明の吸収性物品の備える吸収体は、中間部Ｍの肌対向面側に、他の部分よりも厚みの厚い中高部を有している。本実施形態のナプキン１では、吸収体４は、図１及び図２に示すように、吸収性シートから形成されており、具体的には、吸収性シートが複数層厚み方向Ｚに重なった構造となっている。ナプキン１では、吸収性シートから形成された吸収体４は、高吸収性ポリマー及び構成繊維を含有している。吸収体４を構成する１枚の吸収性シートは、三次元に分散配置された高吸収性ポリマー及び構成繊維を有している。吸収性シートとしては、湿潤状態の高吸収性ポリマーに生じる粘着力や別に添加した接着剤や接着性繊維等のバインダーを介して、構成繊維どうしの間や高吸収性ポリマーと構成繊維との間を結合させてシート状としたもの等を好ましく用いることができる。なお、吸収性シートとは、シート状に成型されている吸収体のことであり、一般的に吸収性材料を積もらせた積繊タイプの構造の吸収体とは区別される。吸収性シートの代表的なものとしては、特許２９６３６４７号記載のものや、特許２９５５２２３号記載のものなどが挙げられる。
【００２５】
ナプキン１では、吸収体４は、図２及び図３に示すように、吸収性シートで形成された多層構造となっている。ここで、前記形成された多層構造は、吸収性シートを複数枚重ね合わせて形成されたものであってもよいし、１枚の吸収性シートを折り重ねて形成されたものであってもよいし、これらを複合して形成されたものであってもよい。ナプキン１では、吸収体４は、図２に示すように、中間部Ｍに吸収性シートで形成された中央吸収性シート４２と、中央吸収性シート４２を覆う本体吸収性シート４１とで構成されている。即ち、ナプキン１の吸収体４は、本体吸収性シート４１及び中央吸収性シート４２からなる多層構造が形成されており、中間部Ｍに中高部４３を形成している。ナプキン１の吸収体４の多層構造は、１枚の本体吸収性シート４１の折り畳み構造の内部に中央吸収性シート４２が内包された構造を有し、この中央吸収性シート４２が中高部４３に配されている。
【００２６】
好適に、ナプキン１では、図１〜図３に示すように、本体吸収性シート４１は、ナプキン１よりも横方向Ｙの長さ（幅）が長い、１枚のシートからなり、該本体吸収性シート４１の縦方向Ｘに沿う両側部を裏面シート３側に折り返して２層構造とし、且つその縦方向Ｘに沿う両側縁どうしを横方向Ｙの中央にて重ね合わせて、吸収体４の外形を形成している。中央吸収性シート４２は、１枚の平面視矩形形状のシートからなり、該中央吸収性シート４２を横方向Ｙに３つ折りした３層構造となっている。中央吸収性シート４２を３層構造とする際には、中央吸収性シート４２を縦方向Ｘに横断する２本の折り曲げ線において、横方向Ｙの自由端から数えての２本目の折り曲げ線にて裏面シート３側に折り曲げ、更に横方向Ｙの自由端から数えての１本目の折り曲げ線にて表面シート２側に折り曲げ、横方向Ｙの自由端が３層構造の内部に配されるように、渦巻き状に折り畳む。このように中央吸収性シート４２は、渦巻き状に３つ折りされた３層構造となっている。中高部４３は、３層構造の中央吸収性シート４２を、２層構造の本体吸収性シート４１の間に挟んで５層構造に形成されている。中高部４３は、中間部Ｍのみに形成され、前方部Ｆ及び後方部Ｒには形成されていない。図２及び図３に示すように、中高部４３の周囲における吸収体４を構成する吸収性シートの積層枚数が２枚であるのに対し、中高部４３における吸収体４を構成する吸収性シートの積層枚数が５枚と積層枚数が多く、厚みが中高部４３の周囲よりも大きい部分となっている。このため、中高部４３は、中間部Ｍに、表面シート２側（ナプキン１の肌対向面側）に突出した隆起部となっている。
【００２７】
吸収性シート１枚あたりの厚みとしては、好ましくは０．１ｍｍ以上、特に０．３ｍｍ以上であり、また、好ましくは２ｍｍ以下、特に１．５ｍｍ以下であることが好ましい。より具体的には、０．１ｍｍ以上２ｍｍ以下、特に０．３ｍｍ以上１．５ｍｍ以下であることが、経血を吸収体４でスポット的に吸収しかつ装着感の良好な吸収性物品を得る点から好ましい。
【００２８】
吸収体４は、中高部４３における厚みが、好ましくは０．７ｍｍ以上、更に好ましくは１ｍｍ以上であり、また、好ましくは５ｍｍ以下、更に好ましくは４ｍｍ以下であり、より具体的には、好ましくは０．７ｍｍ以上５ｍｍ以下、更に好ましくは１ｍｍ以上４ｍｍ以下である。中高部４３の厚みをこのような範囲とすることで、中高部４３が形成されている中間部Ｍにおける良好な装着感と高い吸収性能を両立することが容易となる。また、本実施形態のナプキン１のように吸収性物品がウイング部を備えている場合には、装着時に中間部Ｍでの吸収体のヨレを抑制しやすくなる。また、吸収体は、中高部４３以外の中高部４３の周囲部分における厚みが、好ましくは０．３ｍｍ以上、更に好ましくは０．５ｍｍ以上であり、また、好ましくは３ｍｍ以下、更に好ましくは２．５ｍｍ以下であり、より具体的には、好ましくは０．３ｍｍ以上３ｍｍ以下、更に好ましくは０．５ｍｍ以上２．５ｍｍ以下である。この範囲であることが、高い吸収性能と着用者の動きへの追従性を高める観点から好ましい。なお、吸収体及び吸収性シートの厚みは下記方法により測定される。
【００２９】
＜吸収性シート及び吸収体の厚みの測定方法＞
測定対象物である吸収性シート又は吸収体を水平な場所にシワや折れ曲がりがないように静置し、５ｃＮ／ｃｍ2の荷重下での厚みを測定する。本発明における厚みの測定には、厚み計 PEACOCK DIAL UPRIGHT GAUGES R5-C(OZAKI MFG.CO.LTD.製）を用いた。このとき、厚み計の先端部と測定対象物における測定部分との間に、平面視円形状又は正方形状のプレート（厚さ５ｍｍ程度のアクリル板）を配置して、荷重が５ｃＮ／ｃｍ2となるようにプレートの大きさを調整する。
【００３０】
本発明の吸収性物品の備える吸収体は、中高部４３よりも縦方向Ｘの後方側に、縦方向Ｘに延びる後方スリットＲ１が配された後方スリット領域ＲＳを有している。後方スリット領域ＲＳは、吸収体４を横方向Ｙに二分して縦方向Ｘに延びる仮想縦中心線である縦中心線ＣＬを挟んで両側に一対配されている。本実施形態のナプキン１では、吸収体４は、図１及び図４に示すように、中間部Ｍの中高部４３よりも縦方向Ｘの後方側に、横方向Ｙに分離した一対の後方スリット領域ＲＳｒ，ＲＳｌを備えており、各後方スリット領域ＲＳｒ、ＲＳｌは、縦方向Ｘに延びる後方スリットＲ１を有している。ここで、縦方向Ｘに延びる後方スリットＲ１の形状としては、縦方向Ｘに延びていれば直線のみならず、波線、曲線、破線等も含む意味である。また、縦方向Ｘに延びる後方スリットＲ１の傾斜角度としては、縦方向Ｘに延びる縦中心線ＣＬに平行に延びるスリットのみならず、縦中心線ＣＬに平行に延びる仮想線とのなす角度が４５度未満となるスリットも含む。但し、後方スリットＲ１の傾斜角度は３０度未満が好ましく、特に１０度未満が好ましく、０度が最も好ましい。各後方スリット領域ＲＳは、このような後方スリットＲ１を少なくとも１本有していることが好ましく、２本以上１８本以下有していることが更に好ましく、４本以上１４本以下有していることが特に好ましい。各後方スリット領域ＲＳが後方スリットＲ１を複数本有している場合、後方スリットＲ１の形状及び傾斜角度が、全て同じスリットであってもよく、一部異なるスリットを含んでいてもよく、全て異なるスリットであってもよい。各後方スリット領域ＲＳが後方スリットＲ１を複数本有している場合、各後方スリット領域ＲＳには、縦方向Ｘに延びるスリット列が、横方向Ｙに２列以上形成されていることが好ましく、３列以上がより好ましい。また、個々のスリット列に含まれる後方スリットＲ１の本数は、好ましくは１本以上であり、より好ましくは２本以上である。ナプキン１では、図４に示すように、各後方スリット領域ＲＳには、縦方向Ｘに延びるスリット列が、横方向Ｙに３列形成されており、各該スリット列に含まれる後方スリットＲ１の本数は２本である。ナプキン１では、２列のスリット列の間に配されるスリット列が、該２列のスリット列よりも吸収体４の中高部４３側に配されて後方スリット領域ＲＳが形成されている。
【００３１】
ナプキン１では、図１及び図４に示すように、一対の後方スリット領域ＲＳｒ，ＲＳｌそれぞれを構成する後方スリットＲ１は、縦中心線ＣＬに対して左右対称に配されて一対の後方スリット領域ＲＳｒ，ＲＳｌを形成している。そして、ナプキン１では、各後方スリット領域ＲＳが、形状及び傾斜角度が全て同じ複数の後方スリットＲ１を有している。ナプキン１では、各後方スリットＲ１は、縦中心線ＣＬに平行に直線で延びている。ナプキン１では、縦中心線ＣＬに平行に直線に延びる後方スリットＲ１が、縦方向Ｘ及び横方向Ｙの両方向に分散した状態で配されて、後方スリット領域ＲＳを形成している。ナプキン１の後方スリットＲ１は、吸収体４における中高部４３の周囲に位置する本体吸収性シート４１に配されている。後方スリットＲ１は、２層構造の本体吸収性シート４１の少なくとも１層のみを貫通していればよいが、ナプキン１では、２層構造の本体吸収性シート４１をその厚み方向Ｚに亘って全層貫通している。
【００３２】
ナプキン１では、図１に示すように、一対の後方スリット領域ＲＳｒ，ＲＳｌを構成する後方スリットＲ１の内、最も中高部４３に近い位置に配されるもので、かつ最も横方向Ｙの内方に位置する一対の近接スリットＲ１ａｒ，Ｒ１ａｌどうしの横方向Ｙの間隔ｄ１は、中高部４３における縦方向Ｘの後端部４３Ｂの横方向Ｙの幅ｂ３と同じか或いは該幅ｂ３よりも広くなっている。ここで、各後方スリット領域ＲＳを構成する後方スリットＲ１の内、最も中高部４３に近い位置に配された一対の近接スリットは、言い換えれば、後方スリットのうち、最も前方側に位置し、横方向Ｙに離間して存在する一対のスリットである。また、一対の後方スリットＲ１ｒ，Ｒ１ｌどうしの間隔ｄ２とは、一対の後方スリットＲ１ｒ，Ｒ１ｌどうしの横方向Ｙの間隔の中で最も短い間隔のことを意味する。
【００３３】
ナプキン１では、図１及び図４に示すように、吸収体４の中間部Ｍに中高部４３を備えているので、着用者の液排泄部へのフィット性が向上する。そして、ナプキン１では、吸収体４に配された一対の近接スリットＲ１ａｒ，Ｒ１ａｌどうしの横方向Ｙの間隔ｄ１が中高部４３の後端部４３Ｂの幅ｂ３と同じか或いは該幅ｂ３よりも広くなっている。その為、就寝時に身体を仰向けにした姿勢をとったとしても、ナプキン１の両サイド方向から力が加わることによって一対の近接スリットＲ１ａｒ，Ｒ１ａｌを起点として、吸収体４における一対の近接スリット領域ＲＳａｒ，ＲＳａｌどうしの間の部分が着用者側に隆起し易くなっている。このように一対の近接スリット領域ＲＳａｒ，ＲＳａｌどうしの間の部分が着用者側に曲面状に隆起すると、着用者に違和感を与え難いにも拘わらず、肌との間に隙間が生じ難く、結果としてフィット性が向上し、体液が肌を伝って流れ難く、防漏性が向上する。このような効果を一層奏する観点から、一対の近接スリットＲ１ａｒ，Ｒ１ａｌどうしの横方向Ｙの間隔ｄ１が中高部４３の後端部４３Ｂの幅ｂ３よりも広くなっていることが好ましい。
【００３４】
上記効果を一層奏する観点から、後方スリットＲ１を平面視したときの幅ｂ１（図４参照）は、０．１ｍｍ以上が好ましく、０．２ｍｍ以上が更に好ましく、また、１ｍｍ以下が好ましく、０．８ｍｍ以下が更に好ましく、また、０．１ｍｍ以上１ｍｍ以下が好ましく、０．２ｍｍ以上０．８ｍｍ以下が更に好ましい。同様の観点から、後方スリットＲ１を平面視したときの長さ（縦方向Ｘ長さ）Ｌ１（図４参照）は、好ましくは１０ｍｍ以上、更に好ましくは１５ｍｍ以上であり、また、好ましくは３５ｍｍ以下、更に好ましくは２５ｍｍ以下であり、また、好ましくは１０ｍｍ以上３５ｍｍ以下、更に好ましくは１５ｍｍ以上２５ｍｍ以下である。
上記効果を一層奏する観点から、各後方スリット領域ＲＳｒ、ＲＳｌそれぞれに後方スリットＲ１を複数有する場合、横方向Ｙに最も近い後方スリットＲ１，Ｒ１どうしの間隔（幅方向間隔）ｄ３は、好ましくは３ｍｍ以上、更に好ましくは５ｍｍ以上、また、好ましくは１８ｍｍ以下、更に好ましくは１５ｍｍ以下であり、また、好ましくは３ｍｍ以上１８ｍｍ以下、更に好ましくは５ｍｍ以上１５ｍｍ以下である。
【００３５】
ナプキン１では、一対の後方スリット領域ＲＳｒ，ＲＳｌそれぞれの、横方向Ｙに関して最も内側に位置する後方スリットＲ１ｒ、Ｒ１ｌは、中高部４３における縦方向Ｘの後端部の横方向Ｙの幅を５等分した際の中央１領域よりも横方向Ｙの外側に位置している。このために、上述した効果がより一層発揮され易くなっている。また、横方向Ｙの間隔が最も狭い位置に配された一対の後方スリットＲ１ｒ，Ｒ１ｌどうしの横方向Ｙの間隔ｄ２（図１参照）は、中高部４３における縦方向Ｘの後端部４３Ｂの横方向Ｙの幅を５等分した際の中央１領域の幅よりも広いことが好ましく、中高部４３の後端部４３Ｂの横方向Ｙの幅を３等分した際の中央１領域の幅よりも広いことが更に好ましい。また、各後方スリット領域ＲＳを構成する後方スリットＲ１が複数配されている場合には、横方向Ｙの間隔が最も狭い位置に配された一対の後方スリットＲ１ｒ，Ｒ１ｌは、一対の近接スリットＲ１ａｒ，Ｒ１ａｌとは別のスリットであることが好ましく、当該一対の後方スリットＲ１ｒ，Ｒ１ｌどうしの間隔ｄ２（図１参照）は一対の近接スリットＲ１ａｒ，Ｒ１ａｌどうしの間隔ｄ１（図１参照）よりも狭いことが好ましい。一対の後方スリットＲ１ｒ，Ｒ１ｌどうしの間隔ｄ２（図１参照）とは、一対の後方スリットＲ１ｒ，Ｒ１ｌどうしの横方向Ｙの間隔の中で最も短い間隔のことを意味する。
【００３６】
なお、ナプキン１では、矩形状の中央吸収性シート４２によって中高部４３が形成されているので、中高部４３の横方向Ｙの幅ｂ３は一定である。これに対して、中高部４３の後端部がそれより前方側よりも横方向Ｙの幅が小さくなっている場合には、一対の近接スリットＲ１ａｒ、Ｒ１ａｌの横方向Ｙの間隔は、前記中高部４３を縦方向Ｘに５分割した際の最も後側の最後端分割域における横方向Ｙの最大長さと同じかそれより広いことが好ましく、該最後端分割域に隣り合う後側から２つ目の隣接分割域における横方向Ｙの最大長さと同じかそれより広いことが好ましい。ここで、前記「横方向Ｙの最大長さ」とは、中高部４３を平面視して、最も横方向Ｙに長い位置での距離を意味する。このようにすることによって、上述した効果がより一層発揮され易くなる。
【００３７】
また、ナプキン１では、一対の後方スリット領域ＲＳｒ、ＲＳｌそれぞれの横方向Ｙの最も内側に位置した、横方向Ｙに隣り合う後方スリットＲ１ｒ、Ｒ１ｌ間の横方向Ｙの距離が、横方向Ｙに隣り合った中央スリットＭ１、Ｍ１間の横方向Ｙの距離よりも長くなっている。このため、中高部４３は中間部Ｍに沿って変形し易くなっているが、その変形の影響を緩衝するように後方部Ｒは変形し易くなっている。したがって、上述した効果が一層発揮され易くなる。
【００３８】
上記効果を一層奏する観点から、一対の近接スリットＲ１ａｒ，Ｒ１ａｌどうしの間隔ｄ１（図１参照）は、好ましくは２５ｍｍ以上、更に好ましくは３０ｍｍ以上、また、好ましくは５５ｍｍ以下、更に好ましくは４５ｍｍ以下であり、また、好ましくは２５ｍｍ以上５５ｍｍ以下、更に好ましくは３０ｍｍ以上４５ｍｍ以下である。
上記効果を一層奏する観点から、横方向Ｙの間隔が最も狭い位置に配された一対の後方スリットＲ１ｌ、Ｒ１ｒと一対の近接スリットＲ１ａｒ、Ｒ１ａｌとが異なる場合、一対の後方スリットＲ１ｒ、Ｒ１ｌどうしの間隔ｄ２（図１参照）は、好ましくは８ｍｍ以上、更に好ましくは１５ｍｍ以上、また、好ましくは４０ｍｍ以下、更に好ましくは３０ｍｍ以下であり、また、好ましくは８ｍｍ以上４０ｍｍ以下、更に好ましくは１５ｍｍ以上３０ｍｍ以下である。
【００３９】
また、ナプキン１では、図１及び図４に示すように、一対の後方スリット領域ＲＳｒ，ＲＳｌに加えて、中高部４３に縦方向Ｘに延びる中央スリットＭ１が縦方向Ｘ及び横方向Ｙに分散して配された中央スリット領域ＭＳを有している。ここで、縦方向Ｘに延びる中央スリットＭ１とは、上述した縦方向Ｘに延びる後方スリットＲ１と同様に、その形状としては、縦方向Ｘに延びていれば直線のみならず、波線、破線、曲線等も含む意味であり、その傾斜角度としては、縦方向Ｘに延びる縦中心線ＣＬに平行に延びるスリットのみならず、縦中心線ＣＬに平行に延びる仮想線とのなす角度が４５度未満となるスリットも含む意味である。但し、傾斜角度は３０度未満が好ましく、特に１０度未満が好ましく、０度が最も好ましい。中央スリット領域ＭＳは、このような中央スリットＭ１を、１０本以上４０本以下有していることが好ましく、２０本以上３０本以下有していることが更に好ましい。中央スリット領域ＭＳには、縦方向Ｘに延びる中央スリットＭ１が横方向Ｙに間欠的に配されたスリット列が、縦方向Ｘに３列以上形成されていることが好ましく、４列以上がより好ましく、５列以上が更に好ましい。また、個々のスリット列に含まれる中央スリットＭ１の本数は、好ましくは２本以上であり、より好ましくは３本以上である。中央スリット領域ＭＳを構成する複数の中央スリットＭ１は、その形状及び傾斜角度が、全て同じスリットであってもよく、一部異なるスリットを含んでいてもよく、全て異なるスリットであってもよい。
【００４０】
ナプキン１では、図１に示すように平面視して、各後方スリット領域ＲＳを構成する後方スリットＲ１が、溝９と重なる部分を有している。好適に、ナプキン１では、各後方スリット領域ＲＳを構成する複数の後方スリットＲ１の内の一部が、溝９を構成する後方部Ｒに配された縦圧搾溝９２或いは第３圧搾溝９４と重なる部分を有している。このように後方スリットＲ１が溝９と重なる部分を有していると、溝９及び後方スリットＲ１の相乗効果によってナプキン１のフィット性が更に向上する。また、後方スリットＲ１が溝９と重なる部分を有していると、該重なる部分において表面シート２が後方スリットＲ１から吸収体４の内部に入り込み易く、表面シート２上に流れる体液が吸収体４に吸収され易い。
【００４１】
ナプキン１では、各後方フラップ部１０Ｈは、その非肌対向面に縦方向Ｘに延びるズレ止め部材である後方フラップ部粘着部１０Ｈ１を有している。そして、図１に示すように平面視して、各後方スリット領域ＲＳを構成する後方スリットＲ１は、後方フラップ部粘着部１０Ｈ１の縦方向Ｘの後端部よりも後方に配されていない。言い換えれば、ナプキン１では、各後方スリット領域ＲＳを構成する複数の後方スリットＲ１の内の最も縦方向Ｘの後方に位置する後方スリットＲ１の後端部が、後方フラップ部粘着部１０Ｈ１の縦方向Ｘの後端部よりも縦方向Ｘの前方に位置している。このような位置に後方スリット領域ＲＳを構成する後方スリットＲ１が配されていると、着用者の身体に沿ってナプキンが変形する際、後方フラップ部１０Ｈが後方フラップ部粘着部１０Ｈ１を介してショーツ等の着衣に固定され易いため、後方スリットＲ１に起因する皺の発生が抑えられ、防漏性が向上する。
【００４２】
ナプキン１では、図１及び図４に示すように、一対の後方スリット領域ＲＳに加えて、中高部４３に縦方向Ｘに延びる中央スリットＭ１が縦方向Ｘ及び横方向Ｙに分散して配された中央スリット領域ＭＳを有している。その為、中央スリットＭ１によって中央スリット領域ＭＳが着用者の身体に沿って変形し易く、ナプキン１のフィット性が向上し、防漏性や、装着感が更に向上する。
【００４３】
上記効果を一層奏する観点から、中央スリットＭ１を平面視したときの幅ｂ２（図４参照）は、０．１ｍｍ以上が好ましく、０．２ｍｍ以上が更に好ましく、また、１ｍｍ以下が好ましく、０．８ｍｍ以下が更に好ましく、また、０．１ｍｍ以上１ｍｍ以下が好ましく、０．２ｍｍ以上０．８ｍｍ以下が更に好ましい。
上記効果を一層奏する観点から、中央スリットＭ１を平面視したときの長さ（縦方向Ｘ長さ）Ｌ２（図４参照）は、好ましくは１０ｍｍ以上、更に好ましくは１５ｍｍ以上であり、また、好ましくは３５ｍｍ以下、更に好ましくは２５ｍｍ以下であり、また、好ましくは１０ｍｍ以上３５ｍｍ以下、更に好ましくは１５ｍｍ以上２５ｍｍ以下である。
上記効果を一層奏する観点から、最も近い中央スリットＭ１，Ｍ１どうしの間隔（幅方向間隔）ｄ４は、好ましくは３ｍｍ以上、更に好ましくは７ｍｍ以上、また、好ましくは２０ｍｍ以下、更に好ましくは１５ｍｍ以下であり、また、好ましくは３ｍｍ以上２０ｍｍ以下、更に好ましくは７ｍｍ以上１５ｍｍ以下である。
【００４４】
ナプキン１では、図１及び図４に示すように、吸収体４の中間部Ｍの中高部４３に、縦中心線ＣＬに平行に延びる中央スリットＭ１が、縦方向Ｘ及び横方向Ｙの両方向に縦中心線ＣＬに対して左右対称に分散した状態に配されて中央スリット領域ＭＳを形成している。ナプキン１の中央スリットＭ１は、吸収体４における中高部４３を構成する５層構造の吸収性シート（２層構造の本体吸収性シート４１及び３層構造の中央吸収性シート４２）の内、少なくとも１層のみを貫通していればよいが、ナプキン１では、５層構造の吸収性シートをその厚み方向に亘って全層貫通している。
【００４５】
また、図１及び図４に示すナプキン１のように、吸収体４が一対の後方スリット領域ＲＳ及び中央スリット領域ＭＳを有している場合、中高部４３の縦方向Ｘの後端部４３Ｂ上に配置されたスリットが、後方スリット領域ＲＳを構成する後方スリットＲ１であるか、中央スリット領域ＭＳを構成する中央スリットＭ１であるかの判断は、以下のようにして判断する。即ち、吸収体４を平面視して、中高部４３の縦方向Ｘの後端部４３Ｂの最後端を通る横方向Ｙに平行な仮想線ＩＬを基準に、判断するスリットの縦方向Ｘの全長（ＡＬ）に対する、該スリットにおける中高部４３の後端部４３Ｂとの重なり部分の縦方向Ｘの長さ（ＢＬ）の割合（（ＢＬ／ＡＬ）×１００）が、１０％以下である場合に後方スリット領域ＲＳを構成する後方スリットＲ１と判断し、１０％より大きい場合に中央スリット領域ＭＳを構成する中央スリットＭ１と判断する。
【００４６】
また、ナプキン１では、図１及び図４に示すように、中央スリット領域ＭＳを構成する中央スリットＭ１の内、中央スリット領域ＭＳの幅方向（横方向Ｙ）中央側に位置し且つ最も縦方向Ｘの後方側に位置する中央最後部スリットＭ１ａの後端と、各後方スリット領域ＲＳの近接スリットＲ１ａの前端とは、ナプキン１を横方向Ｙから視て、重なっていない。中央最後部スリットＭ１ａの後端と近接スリットＲ１ａの前端との間の縦方向Ｘの間隔ｄ５（図４参照）は、好ましくは２０ｍｍ以下、更に好ましくは１５ｍｍ以下であり、また、好ましくは０ｍｍ以上２０ｍｍ以下、更に好ましくは０ｍｍ以上１５ｍｍ以下である。この範囲であれば、着用中にナプキン１の両サイド方向から力が加わることによって一対の近接スリットＲ１ａｒ、Ｒ１ａｌを起点として、吸収体４における一対の近接スリットＲ１ａｒ、ＣＲ１ａｌどうしの間の部分が着用者側に曲面状に更に隆起し易くなっている。
中央最後部スリットＭ１ａの後端と近接スリットＲ１ａの前端との間の縦方向Ｘの間隔ｄ５（図４参照）は、後方スリットＲ１の長さ（縦方向Ｘ長さ）Ｌ１（図４参照）及び中央スリットＭ１の長さ（縦方向Ｘ長さ）Ｌ２（図４参照）の少なくとも一方よりも短いことが好ましい。
【００４７】
上述した本実施形態のナプキン１の各構成部材の形成材料について説明する。
表面シート２、裏面シート３としては、生理用ナプキン等の吸収性物品に従来使用されている各種のもの等を特に制限なく用いることができる。例えば、表面シート２としては、単層又は多層構造の不織布や、開孔フィルム等を用いることができる。また、裏面シート３としては、透湿性の樹脂フィルム等を用いることができる。また、防漏カフ形成用シートとしては、耐水圧が高い撥水性の不織布、例えば、スパンボンド不織布、スパンボンド−メルトブローン−スパンボンド積層不織布等を用いることができる。
【００４８】
吸収体４の有する高吸収性ポリマーとしては、一般に粒子状のものが用いられるが、繊維状のものでもよい。粒子状の高吸収性ポリマーを用いる場合、その形状は球状、塊状、俵状又は不定形のいずれでもよい。高吸収性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。
【００４９】
吸収体４の有する構成繊維としては、合成繊維又はセルロース系繊維等が挙げられる。合成繊維としては、例えば熱可塑性繊維であることが好ましい。熱可塑性繊維としては、例えばポリエチレン、ポリプロピレン、ポリエステル、ポリウレタン等の単一の合成樹脂を用いて形成された単一繊維、或いは、これら２種以上の複合体等の合成樹脂を用いて形成された複合繊維が挙げられる。セルロース系繊維としては、セルロースの分子内又は分子間を適当な架橋剤によって架橋させた架橋セルロース繊維（パルプ繊維）、或いはセルロースの結晶化度を向上させたレーヨン繊維等の再生セルロース繊維等が挙げられる。
【００５０】
ナプキン１では、表面シート２と吸収体４との間、及び吸収体４と裏面シート３との間は、接着剤を塗布して固定されていることが好ましい。接着剤は、公知の手段、例えば、スロットコートガン、スパイラルスプレーガン、スプレーガン、或いはドットガンを用いて塗布することができ、ナプキン１では、スパイラルスプレーガンを用いてスパイラル状に塗布することが好ましい。塗布する接着剤としては、例えば、ホットメルト接着剤が好ましく用いられる。ホットメルト接着剤の塗布量は、１．５ｇ／ｍ2以上１０ｇ／ｍ2以下であることが好ましい。
【００５１】
以上、本発明をその好ましい実施形態に基づき説明したが、本発明の吸収性物品は前記実施形態のナプキン１に何ら制限されるものではなく、適宜変更可能である。
例えば、ナプキン１では、図４に示すように、吸収体４の各後方スリット領域ＲＳには、縦方向Ｘに延びるスリット列が、横方向Ｙに３列形成されており、各該スリット列に含まれる後方スリットＲ１の本数は２本であるが、図５に示す吸収体４のように、各後方スリット領域ＲＳには、縦方向Ｘに延びるスリット列が、横方向Ｙに３列形成されており、中央のスリット列に含まれる後方スリットＲ１の本数は２本であり、中央のスリット列の両側に入りする両側スリット列に含まれる後方スリットＲ１の本数は１本となっている。図５に示す吸収体４については、前述したナプキン１と異なる構成部分を主として説明し、同様の構成部分は同一の符号を付して説明を省略する。特に説明しない構成部分は、図４に示す吸収体４についての説明が適宜適用される。図５に示す吸収体４を有している生理用ナプキンであれば、図１に示すナプキン１と同様の効果が奏される。
【００５２】
また、ナプキン１では、図３に示すように、吸収体４は、吸収性シートから形成されているが、吸収性シートではなく、積繊されたパルプ繊維を含む吸収性コアの肌対向面及び非肌対向面をコアラップシートで被覆した積繊タイプの吸収体であってもよい。
【００５３】
また、本発明の吸収性物品は、生理用ナプキンの他、パンティーライナー（おりものシート）等であってもよい。
【００５４】
前述した本発明の実施形態に関し、更に以下の吸収性物品を開示する。
【００５５】
＜１＞
着用者の前後方向に対応する縦方向と該縦方向に直交する横方向を備え、吸収体を有し、該縦方向に沿って前方部、中間部及び後方部を有する吸収性物品であって、前記吸収体は、前記中間部の肌対向面側に、他の部分よりも厚みの厚い中高部を有しており、前記吸収体は、前記中高部よりも後方側に、前記縦方向に延びる後方スリットが配置された後方スリット領域を有し、該後方スリット領域は、前記吸収体を前記横方向に二分して前記縦方向に延びる仮想縦中心線を挟んで両側に一対配されており、一対の前記後方スリット領域を構成する前記後方スリットの内、最も前記中高部に近い位置に配され、かつ最も横方向の内方に位置する近接スリットどうしの横方向の間隔は、該中高部における縦方向の後端部の横方向の幅と同じか或いは該幅よりも広い、吸収性物品。
＜２＞
前記近接スリットの横方向の間隔は、前記中高部を縦方向に５分割した際の最も後側の１つの横方向の最大長さと同じかそれより広い、前記＜１＞に記載の吸収性物品。
＜３＞
前記吸収体は、前記中高部に、縦方向に延びる中央スリットが縦方向及び横方向に分散して配された中央スリット領域を有している、前記＜１＞又は＜２＞に記載の吸収性物品。
＜４＞
前記中央スリット領域を構成する前記中央スリットの内、最も後方側に位置する中央最後部スリットの後端と、各前記後方スリット領域の前記近接スリットの前端とは、前記吸収性物品を横方向から視て、重なっていない、前記＜３＞に記載の吸収性物品。
＜５＞
前記一対の後方スリット領域それぞれの横方向の最も内側に位置した、横方向に隣り合う後方スリット間の横方向の距離が、横方向に隣り合った前記中央スリット間の横方向Ｙの距離よりも長い、前記＜３＞又は＜４＞に記載の吸収性物品。
＜６＞
前記一対の後方スリット領域それぞれの、横方向の最も内側に位置する前記後方スリットは、前記中高部における縦方向の後端部の横方向の幅を５等分した際の中央１領域より横方向の外側に位置する、前記＜１＞〜＜５＞の何れか１に記載の吸収性物品。
＜７＞
前記吸収性物品は、前記吸収体を挟持する表面シート及び裏面シートを具備し、肌対向面に、前記表面シート及び前記吸収体が一体となった、前記裏面シート側に底部を有する溝を備え、前記吸収性物品を平面視して、各前記後方スリット領域を構成する前記後方スリットが、前記溝と重なる部分を有している、請求項前記＜１＞〜＜６＞の何れか１に記載の吸収性物品。
＜８＞
前記吸収性物品は、前記吸収体と、該吸収体を挟持する表面シート及び裏面シートを具備する吸収性本体を有し、該吸収性本体における前記中間部よりも後方に、該吸収性本体の縦方向に沿う両側部それぞれから横方向の外方に延出する一対の後方フラップ部を有しており、各前記後方フラップ部は、その非肌対向面に縦方向に延びるズレ止め部材を有し、前記吸収性物品を平面視して、各前記後方スリット領域を構成する前記後方スリットは、前記ズレ止め部材の縦方向の後端部よりも後方に配されていない、前記＜１＞〜＜７＞の何れか１に記載の吸収性物品。
＜９＞
前記後方スリットの形状が、直線、波線、曲線又は破線である、前記＜１＞〜＜８＞の何れか１に記載の吸収性物品。
＜１０＞
前記後方スリットは縦方向に平行に延びる前記仮想縦中心線とのなす角度が４５度未満、好ましくは３０度未満、更に好ましくは１０度未満である、前記＜１＞〜＜９＞の何れか１に記載の吸収性物品。
＜１１＞
前記後方スリットは、縦方向に沿って延びている、前記＜１＞〜＜１０＞の何れか１に記載の吸収性物品。
＜１２＞
各前記後方スリット領域には、縦方向に延びるスリット列が、好ましくは横方向に２列以上、より好ましくは３列以上存在する、前記＜１＞〜＜１１＞の何れか１に記載の吸収性物品。
＜１３＞
各前記後方スリット領域には、縦方向に延びるスリット列が、好ましくは横方向に２列以上、より好ましくは３列以上存在し、個々の前記スリット列に含まれる後方スリットは、好ましくは１本以上、より好ましくは２本以上である、前記＜１＞〜＜１２＞の何れか１に記載の吸収性物品。
＜１４＞
前記後方スリットを平面視したときの幅は、０．１ｍｍ以上１ｍｍ以下、好ましくは０．２ｍｍ以上０．８ｍｍ以下である、前記＜１＞〜＜１３＞の何れか１に記載の吸収性物品。
＜１５＞
前記後方スリットを平面視したときの縦方向長さは、１０ｍｍ以上３５ｍｍ以下、好ましくは１５ｍｍ以上２５ｍｍ以下である、前記＜１＞〜＜１４＞の何れか１に記載の吸収性物品。
＜１６＞
前記一対の後方スリット領域それぞれに前記後方スリットを複数有する場合、横方向に最も近い後方スリットどうしの横方向の間隔は、３ｍｍ以上１８ｍｍ以下、好ましくは５ｍｍ以上１５ｍｍ以下である、前記＜１＞〜＜１５＞の何れか１に記載の吸収性物品。
＜１７＞
前記吸収体は、前記中高部に、縦方向に延びる中央スリットが縦方向及び横方向に分散して配された中央スリット領域を有し、該中央スリット領域を構成する前記中央スリットの内、前記中央スリット領域の横方向の中央側に位置し且つ最も縦方向の後方に位置する中央最後部スリットの後端と、前記近接スリットの前端とは、横方向から視て重なっていない、前記＜１＞〜＜１６＞の何れか１に記載の吸収性物品。
＜１８＞
前記中央最後部スリットの後端と前記近接スリットの前端との間の縦方向の間隔は、０ｍｍ以上２０ｍｍ以下、好ましくは０ｍｍ以上１５ｍｍ以下である、前記＜１＞〜＜１７＞の何れか１に記載の吸収性物品。
＜１９＞
前記吸収体は、吸収性シートで形成された多層構造である、前記＜１＞〜＜１８＞の何れか１に記載の吸収性物品。
＜２０＞
前記吸収体は、吸収性シートで形成された多層構造であり、該多層構造は、該吸収性シートを複数枚重ね合わせて形成されたもの、又は、１枚の吸収性シートを折り重ねて形成されたものである、前記＜１＞〜＜１９＞の何れか１に記載の吸収性物品。
＜２１＞
前記吸収体は、前記中間部に吸収性シートで形成された中央吸収性シートと、該中央吸収性シートを覆う本体吸収性シートとで構成されており、該中央吸収性シートが前記中高部に配されている、前記＜１＞〜＜２０＞の何れか１に記載の吸収性物品。
＜２２＞
前記吸収体は、前記中高部における厚みが０．７ｍｍ以上５ｍｍ以下、好ましくは１ｍｍ以上４ｍｍ以下である、前記＜１＞〜＜２１＞の何れか１に記載の吸収性物品。
＜２３＞
前記吸収体は、前記中高部以外の該中高部の周囲部分における厚みが０．３ｍｍ以上３ｍｍ以下、好ましくは０．５ｍｍ以上２．５ｍｍ以下である、前記＜１＞〜＜２２＞の何れか１に記載の吸収性物品。
＜２４＞
前記吸収性物品が生理用ナプキンである、前記＜１＞〜＜２３＞の何れか１に記載の吸収性物品。
【実施例】
【００５６】
以下、本発明の吸収性物品を実施例により更に詳細に説明する。しかしながら本発明の範囲はかかる実施例によって何ら制限されるものではない。
【００５７】
＜実施例１＞
図４に示す吸収体を有する図１〜図３に示す生理用ナプキンと同様の基本構成を有する生理用ナプキンを作製し、これを実施例１のサンプルとした。表面シートとしては、坪量２５ｇ／ｍ2のスパンボンド不織布を用いた。裏面シートとしては、坪量３５ｇ／ｍ2の透湿性の樹脂フィルムを用いた。防漏カフ形成用シートとしては、坪量２５ｇ／ｍ2のスパンボンド不織布を用いた。吸収体を構成する吸収性シートとしては、特許２９６３６４７号の実施例２に準じて作成した。吸収性シート１枚あたりの厚みとしては０．５ｍｍであり、吸収体の中高部における厚みは２．３ｍｍであり、中高部の後端部の横方向幅は３５ｍｍであった。なお、中高部は矩形状であった。
【００５８】
吸収体に配されたスリットの詳細は次の通りである。
各後方スリット領域ＲＳを構成する後方スリットＲ１に関し、その幅ｂ１は０．５ｍｍであり、その長さＬ１は２０ｍｍであり、最も近い後方スリットＲ１，Ｒ１どうしの間隔ｄ３は７ｍｍであった。
一対の近接スリットＲ１ａｒ，Ｒ１ａｌどうしの間隔ｄ１は３８ｍｍであり、一対の後方スリットＲ１ｒ，Ｒ１ｌどうしの間隔ｄ２は２４ｍｍであった。
中央スリット領域ＭＳを構成する中央スリットＭ１に関し、その幅ｂ２は０．５ｍｍであり、その長さＬ２は２０ｍｍであり、最も近い中央スリットＭ１，Ｍ１どうしの間隔ｄ４は６ｍｍであった。
中央最後部スリットＭ１ａの後端と近接スリットＲ１ａの前端との間の縦方向Ｘの間隔ｄ５は０ｍｍであった。
【００５９】
＜実施例２＞
図４に示す吸収体に替えて、図５に示す吸収体を用いること以外は、実施例１で作成したサンプルと同様の基本構成を有する生理用ナプキンを作製し、これを実施例２のサンプルとした。図５に示す吸収体に配されたスリットの詳細は次の通りである。
吸収体に配された一対の近接スリットＲ１ａｒ，Ｒ１ａｌどうしの横方向Ｙの間隔ｄ１は、中高部４３は矩形状であり、その後端部４３Ｂの幅ｂ１と同じ３５ｍｍであった。
各後方スリット領域ＲＳを構成する後方スリットＲ１に関し、その幅ｂ1は０．５ｍｍであり、その長さＬ１は２０ｍｍであり、最も近い後方スリットＲ１，Ｒ１どうしの間隔ｄ２は７ｍｍであった。
一対の近接スリットＲ１ａｒ，Ｒ１ａｌどうしの間隔ｄ１は３８ｍｍであり、一対の後方スリットＲ１ｒ，Ｒ１ｌどうしの間隔ｄ２は２４ｍｍであった。
中央スリット領域ＭＳを構成する中央スリットＭ１に関し、その幅ｂ２は０．５ｍｍであり、その長さＬ２は２０ｍｍであり、最も近い中央スリットＭ１，Ｍ１どうしの間隔ｄ４は６ｍｍであった。
中央最後部スリットＭ１ａの後端と近接スリットＲ１ａの前端との間の縦方向Ｘの間隔ｄ５は０ｍｍであった。
【００６０】
＜比較例１＞
図４に示す吸収体に替えて、図４に示す吸収体から一対の後方スリット領域ＲＳを除いた吸収体を用いること以外は、実施例１で作成したサンプルと同様の基本構成を有する生理用ナプキンを作製し、これを比較例１のサンプルとした。
【００６１】
〔評価〕
実施例１〜２のサンプル（生理用ナプキン）及び比較例１のサンプル（生理用ナプキン）について、縦方向の擬血の広がり距離を下記方法により測定した。それらの結果を下記表１に示す。
【００６２】
＜縦方向の擬血の広がり距離の測定方法＞
排泄点から液を注入できる女性用下半身の人体モデルを用い、該モデルを直立させた状態で評価対象のサンプルを装着させた後、該モデルを仰向けに寝させた状態にした。次いで、速度調整機能付き液体排出ポンプを用いて、排泄点より擬血（馬血液）を１分ごとに３．０ｇ注入し、合計６ｇ、および９ｇ注入した。６ｇ注入直後から１分経過後に、該モデルからサンプルを取り外し、擬血（馬血液）の注入によってサンプルに生じた表面シート及び吸収体それぞれにおける縦方向の拡散距離を３回測定し、その平均値を縦方向の擬血（馬血液）の広がり距離とした。表面シート及び吸収体の何れにおいても、この体液の拡がり距離が短いほど、生理用ナプキンと着用者の肌との間に隙間が生じ難く、体液が肌を伝って流れ難いものと考えられ、高評価となる。
なお、疑血として、脱繊維馬血（日本バイオテスト（株）製）を使用した。
【００６３】
【表１】
2018050951.tif 000003
【００６４】
表１に示すように、実施例１〜２の生理用ナプキンは、比較例１の生理用ナプキンに比べ、表面シートにおける擬血（馬血液）の縦方向の拡がり距離、及び吸収体における擬血（馬血液）の縦方向の拡がり距離が何れも小さいことがわかった。これらのことから、実施例１〜２の生理用ナプキンは、比較例１の生理用ナプキンに比べ、着用中に肌との間に隙間が生じ難く、フィット性が向上し、体液が肌を伝って流れ難く、防漏性が向上することが期待できる。
【符号の説明】
【００６５】
１  生理用ナプキン（吸収性物品）
１０  吸収性本体
２  表面シート
３  裏面シート
４  吸収体
４１  本体吸収性シート
４２  中央吸収性シート
４３  中高部
５  防漏カフ形成用シート
ＲＳ  後方スリット領域
Ｒ１  後方スリット
ＭＳ  中央スリット領域
Ｍ１  中央スリット
９  溝
Ｆ  前方部
Ｍ  中間部
Ｒ  後方部
【図１】
2018050951.tif 000004
【図２】
2018050951.tif 000005
【図３】
2018050951.tif 000006
【図４】
2018050951.tif 000007
【図５】
2018050951.tif 000008